(57)【要約】【目的】各種空調機、特にヒートポンプ式の空調機に好適な空調用ダンパ装置を得る。【構成】箱体１と、回動軸６と、回動翼１１と、還気路３から給気路２へ還気が流れかつ外気路５から排気路４へ外気が流れる状態と、還気路３から排気路４へ還気が流れかつ外気路５から給気路２へ外気が流れる状態と、還気路３から給気路２と排気路４とへ還気が流れかつ外気路５から排気路４と給気路２とへ外気が流れる状態と、に各々切換自在として回動軸６の回動角度を制御する回動手段１２を、備える。【選択図】        図１
2004324922.tif 000002
【特許請求の範囲】
【請求項１】
箱体１に、箱体外部と連通しかつ箱体内部で直交状に合流する給気路２と還気路３と排気路４と外気路５を、形成し、風上側となる前記外気路５と前記還気路３とを対角に配置すると共に風下側となる前記給気路２と前記排気路４とを対角に配置し、前記給気路２と前記還気路３と前記排気路４と前記外気路５の合流部に、回動軸６を、この回動軸６の外径方向に前記給気路２と前記還気路３と前記排気路４と前記外気路５が位置するように、設け、前記回動軸６に、所定回動角度において前記還気路３と前記排気路４のＲＥ仕切壁８に接しかつ前記外気路５と前記給気路２のＯＳ仕切壁７に接すると共に所定回動角度において前記給気路２と前記還気路３のＳＲ仕切壁９に接しかつ前記排気路４と前記外気路５のＥＯ仕切壁１０に接すると共に所定回動角度範囲において前記ＳＲ仕切壁９と前記ＲＥ仕切壁８の間に位置しかつ前記ＥＯ仕切壁１０と前記ＯＳ仕切壁７の間に位置する回動翼１１を、設け、前記還気路３から前記給気路２へ還気が流れかつ前記外気路５から前記排気路４へ外気が流れる状態と、前記還気路３から前記排気路４へ還気が流れかつ前記外気路５から前記給気路２へ外気が流れる状態と、前記還気路３から前記給気路２と前記排気路４とへ還気が流れかつ前記外気路５から前記排気路４と前記給気路２とへ外気が流れる状態と、に各々切換自在として前記回動軸６の回動角度を制御する回動手段１２を、備えたことを特徴とする空調用ダンパ装置。
【請求項２】
還気路３の風量と外気路５の風量が同じ場合において、還気路３側における回動翼１１の外端縁とＳＲ仕切壁９の先端縁の間隙部面積Ｓ１と前記回動翼１１の外端縁とＲＥ仕切壁８の先端縁の間隙部面積Ｓ２との比率（Ｓ１：Ｓ２）と、外気路５側における前記回動翼１１の外端縁とＥＯ仕切壁１０の先端縁の間隙部面積Ｓ３と前記回動翼１１の外端縁とＯＳ仕切壁７の先端縁の間隙部面積Ｓ４との比率（Ｓ３：Ｓ４）と、を等しくさせて、給気路２と排気路４の風量比率と前記還気路３と前記外気路５の風量比率が同じになるように、前記回転翼１１と前記ＯＳ仕切壁７と前記ＲＥ仕切壁８と前記ＳＲ仕切壁９と前記ＥＯ仕切壁１０を構成した請求項１記載の空調用ダンパ装置。
【請求項３】
箱体１に、箱体外部と連通しかつ箱体内部で直交状に合流する給気路２と還気路３と排気路４と外気路５を、形成し、風上側となる前記外気路５と前記還気路３とを対角に配置すると共に風下側となる前記給気路２と前記排気路４とを対角に配置し、前記給気路２と前記還気路３と前記排気路４と前記外気路５の合流部に、回動軸６を、この回動軸６の外径方向に前記給気路２と前記還気路３と前記排気路４と前記外気路５が位置するように、設け、前記回動軸６に、所定回動角度において前記還気路３と前記排気路４のＲＥ仕切壁８に接しかつ前記外気路５と前記給気路２のＯＳ仕切壁７に接すると共に所定回動角度において前記給気路２と前記還気路３のＳＲ仕切壁９に接しかつ前記排気路４と前記外気路５のＥＯ仕切壁１０と前記ＯＳ仕切壁７の間に位置すると共に所定回動角度範囲において前記ＳＲ仕切壁９と前記ＲＥ仕切壁８の間に位置しかつ前記ＥＯ仕切壁１０と前記ＯＳ仕切壁７の間に位置する回動翼１１を、設け、前記還気路３から前記給気路２へ還気が流れかつ前記外気路５から前記排気路４へ外気が流れる状態と、前記還気路３から前記排気路４へ還気が流れかつ前記外気路５から前記排気路４と前記給気路２とへ外気が流れる状態と、前記還気路３から前記給気路２と前記排気路４とへ還気が流れかつ前記外気路５から前記排気路４と前記給気路２とへ外気が流れる状態と、に各々切換自在として前記回動軸６の回動角度を制御する回動手段１２を、備えたことを特徴とする空調用ダンパ装置。
【請求項４】
還気路３の風量と外気路５の風量が相違する場合において、還気路３側における回動翼１１の外端縁とＳＲ仕切壁９の先端縁の間隙部面積Ｓ１と前記回動翼１１の外端縁とＲＥ仕切壁８の先端縁の間隙部面積Ｓ２との比率（Ｓ１：Ｓ２）と、外気路５側における前記回動翼１１の外端縁とＥＯ仕切壁１０の先端縁の間隙部面積Ｓ３と前記回動翼１１の外端縁とＯＳ仕切壁７の先端縁の間隙部面積Ｓ４との比率（Ｓ３：Ｓ４）と、を相違させて、給気路２と排気路４の風量比率と前記還気路３と前記外気路５の風量比率が同じになるように、前記回転翼１１と前記ＯＳ仕切壁７と前記ＲＥ仕切壁８と前記ＳＲ仕切壁９と前記ＥＯ仕切壁１０を構成した請求項３記載の空調用ダンパ装置。
【請求項５】
外気路５の静圧と還気路３の静圧が略等しくなるように箱体１を構成した請求項１、２、３又は４記載の空調用ダンパ装置。
【発明の詳細な説明】
【０００１】
【発明の属する技術分野】
本発明は空調用ダンパ装置に関する。
【従来の技術】
【０００２】
【特許文献１】特開平１０−１２２６４０号公報
空調機などに用いられるダンパ装置として上記公報のものが公知である。この装置はダンパブレードで複数の空気路を開閉し、空気を混合したり流れる方向を変えるものである。
【０００３】
【発明が解決しようとする課題】
しかし、上記装置では、外気を屋外から屋内に導入し、それを屋内還気として屋外に排気する流し方しか選択し得ない構造のため、ヒートポンプ方式の空調機には使用できない。例えば、屋内還気を循環させて蒸発器で熱交換し屋外外気で凝縮器を吸熱・放熱させたり、屋内還気と屋外外気を蒸発器で熱交換し屋外外気と屋内還気で凝縮器を吸熱・放熱させることができない。そこで、これらの問題点を解決する空調用ダンパ装置を提供することを目的とする。
【０００４】
【課題を解決するための手段】
上記目的を達成するために、本発明の空調用ダンパ装置は、箱体に、箱体外部と連通しかつ箱体内部で直交状に合流する給気路と還気路と排気路と外気路を、形成し、風上側となる前記外気路と前記還気路とを対角に配置すると共に風下側となる前記給気路と前記排気路とを対角に配置し、前記給気路と前記還気路と前記排気路と前記外気路の合流部に、回動軸を、この回動軸の外径方向に前記給気路と前記還気路と前記排気路と前記外気路が位置するように、設け、前記回動軸に、所定回動角度において前記還気路と前記排気路のＲＥ仕切壁に接しかつ前記外気路と前記給気路のＯＳ仕切壁に接すると共に所定回動角度において前記給気路と前記還気路のＳＲ仕切壁に接しかつ前記排気路と前記外気路のＥＯ仕切壁に接すると共に所定回動角度範囲において前記ＳＲ仕切壁と前記ＲＥ仕切壁の間に位置しかつ前記ＥＯ仕切壁と前記ＯＳ仕切壁７の間に位置する回動翼を、設け、前記還気路から前記給気路へ還気が流れかつ前記外気路から前記排気路へ外気が流れる状態と、前記還気路から前記排気路へ還気が流れかつ前記外気路から前記給気路へ外気が流れる状態と、前記還気路から前記給気路と前記排気路とへ還気が流れかつ前記外気路から前記排気路と前記給気路とへ外気が流れる状態と、に各々切換自在として前記回動軸の回動角度を制御する回動手段を、備えたものである。さらに、還気路の風量と外気路の風量が同じ場合において、還気路側における回動翼の外端縁とＳＲ仕切壁の先端縁の間隙部面積と前記回動翼の外端縁とＲＥ仕切壁の先端縁の間隙部面積との比率と、外気路側における前記回動翼の外端縁とＥＯ仕切壁の先端縁の間隙部面積と前記回動翼の外端縁とＯＳ仕切壁の先端縁の間隙部面積との比率と、を等しくさせて、給気路と排気路の風量比率と前記還気路と前記外気路の風量比率が同じになるように、前記回転翼と前記ＯＳ仕切壁と前記ＲＥ仕切壁と前記ＳＲ仕切壁と前記ＥＯ仕切壁を構成した。また、箱体に、箱体外部と連通しかつ箱体内部で直交状に合流する給気路と還気路と排気路と外気路を、形成し、風上側となる前記外気路と前記還気路とを対角に配置すると共に風下側となる前記給気路と前記排気路とを対角に配置し、前記給気路と前記還気路と前記排気路と前記外気路の合流部に、回動軸を、この回動軸の外径方向に前記給気路と前記還気路と前記排気路と前記外気路が位置するように、設け、前記回動軸に、所定回動角度において前記還気路と前記排気路のＲＥ仕切壁に接しかつ前記外気路と前記給気路のＯＳ仕切壁に接すると共に所定回動角度において前記給気路と前記還気路のＳＲ仕切壁に接しかつ前記排気路と前記外気路のＥＯ仕切壁と前記ＯＳ仕切壁の間に位置すると共に所定回動角度範囲において前記ＳＲ仕切壁と前記ＲＥ仕切壁の間に位置しかつ前記ＥＯ仕切壁と前記ＯＳ仕切壁の間に位置する回動翼を、設け、前記還気路から前記給気路へ還気が流れかつ前記外気路から前記排気路へ外気が流れる状態と、前記還気路から前記排気路へ還気が流れかつ前記外気路から前記排気路と前記給気路とへ外気が流れる状態と、前記還気路から前記給気路と前記排気路とへ還気が流れかつ前記外気路から前記排気路と前記給気路とへ外気が流れる状態と、に各々切換自在として前記回動軸の回動角度を制御する回動手段を、備えたものである。さらに、還気路の風量と外気路の風量が相違する場合において、還気路側における回動翼の外端縁とＳＲ仕切壁の先端縁の間隙部面積と前記回動翼の外端縁とＲＥ仕切壁の先端縁の間隙部面積との比率と、外気路側における前記回動翼の外端縁とＥＯ仕切壁の先端縁の間隙部面積と前記回動翼の外端縁とＯＳ仕切壁の先端縁の間隙部面積との比率と、を相違させて、給気路と排気路の風量比率と前記還気路と前記外気路の風量比率が同じになるように、前記回転翼と前記ＯＳ仕切壁と前記ＲＥ仕切壁と前記ＳＲ仕切壁と前記ＥＯ仕切壁を構成した。さらに、外気路の静圧と還気路の静圧が略等しくなるように箱体を構成した。
【０００５】
【発明の実施の形態】
図１は本発明の空調用ダンパ装置の一実施例で、図２はそれを空調機１３に組込んだ使用例を示しており、このダンパ装置は、箱体１と回動手段１２を備えている。箱体１には、箱体外部と連通しかつ箱体内部で直交状に合流する給気路２と還気路３と排気路４と外気路５を、形成し、風上側となる外気路５と還気路３とを対角に配置すると共に風下側となる給気路２と排気路４とを対角に配置する。給気路２と還気路３と排気路４と外気路５の合流部には、回動軸６を、この回動軸６の外径方向に給気路２と還気路３と排気路４と外気路５が位置するように、設ける。
【０００６】
この回動軸６には、図３（Ａ）のごとく所定回動角度（例えば０度）において一方が還気路３と排気路４のＲＥ仕切壁８に接しかつ他方が外気路５と給気路２のＯＳ仕切壁７に接して回動軸６とＯＳ仕切壁７の間隙部を閉じかつ回動軸６とＲＥ仕切壁８の間隙部を閉じかつ給気路２と還気路３のＳＲ仕切壁９と回動軸６との間隙部を開きかつ排気路４と外気路５のＥＯ仕切壁１０と回動軸６との間隙部を開くと共に図３（Ｃ）のごとく所定回動角度（例えば９０度）において一方がＳＲ仕切壁９に接しかつ他方がＥＯ仕切壁１０に接して回動軸６とＳＲ仕切壁９の間隙部を閉じかつ回動軸６とＥＯ仕切壁１０の間隙部を閉じかつ回動軸６とＯＳ仕切壁７の間隙部を開きかつ回動軸６とＲＥ仕切壁８の間隙部を開くと共に図３（Ｂ）のごとく所定回動角度範囲（例えば０度を超え９０度未満）において一方がＳＲ仕切壁９とＲＥ仕切壁８の間に位置しかつ他方がＥＯ仕切壁１０とＯＳ仕切壁７の間に位置して回動軸６とＯＳ仕切壁７の間隙部を開きかつ回動軸６とＲＥ仕切壁８の間隙部を開きかつ回動軸６とＳＲ仕切壁９の間隙部を開きかつ回動軸６とＥＯ仕切壁１０の間隙部を開く回動翼１１を、設ける。
【０００７】
回動手段１２は、軸部が任意角度に回動・停止自在なダンパモータやその制御器などから成り、図３（Ａ）のごとく還気路３から給気路２へ全ての還気が流れかつ外気路５から排気路４へ全ての外気が流れる状態と、図３（Ｃ）のごとく還気路３から排気路４へ全ての還気が流れかつ外気路５から給気路２へ全ての外気が流れる状態と、図３（Ｂ）のごとく還気路３から給気路２と排気路４とへ所定割合で還気が流れかつ外気路５から排気路４と給気路２とへ所定割合で外気が流れる状態と、に各々切換自在として回動軸６の回動角度を制御する。各図において実線の白抜き矢印は風向を示す。
【０００８】
この実施例では、図４に示すように、還気路３の風量と外気路５の風量が同じ場合において還気路３側における回動翼１１の外端縁とＳＲ仕切壁９の先端縁の間隙部面積Ｓ１と回動翼１１の外端縁とＲＥ仕切壁８の先端縁の間隙部面積Ｓ２との比率（Ｓ１：Ｓ２）と、その比率（Ｓ１：Ｓ２）のときの外気路５側における回動翼１１の外端縁とＥＯ仕切壁１０の先端縁の間隙部面積Ｓ３と回動翼１１の外端縁とＯＳ仕切壁７の先端縁の間隙部面積Ｓ４との比率（Ｓ３：Ｓ４）と、を等しくさせて、給気路２と排気路４の風量比率と還気路３と外気路５の風量比率が同じ（給気風量：排気風量＝１：１、還気風量：外気風量＝１：１）になるように、回転翼１１とＯＳ仕切壁７とＲＥ仕切壁８とＳＲ仕切壁９とＥＯ仕切壁１０を構成する。また、外気路５の静圧と還気路３の静圧が略等しくなるように箱体１を構成する。例えば、外気路５の静圧と還気路３の静圧が略等しくなるように箱体１の外気路５の外気入口面積と還気路３の還気入口面積を風速などに応じて設定して箱体１を形成する。これにより図３（Ｂ）の状態において還気や外気が逆流するのを防止できる。
【０００９】
図２に示すように、空調機１３は、ヒートポンプ式のものでケーシング内に、蒸発器１４と凝縮器１５と屋内側送風機１６と屋外側送風機１７などを備えている。屋内側送風機１６は還気路３へ還気を押込むように設け、屋外側送風機１７は外気路５へ外気を押込むように設ける。蒸発器１４は給気路２に対応させ、凝縮器１５は排気路４に対応させる。箱体１の還気路３側は空調機内風路、ダクト、吸込口等を介して屋内と連通連結し、箱体１の給気路２側は空調機内風路、ダクト、吹出口等を介して屋内と連通連結する。箱体１の外気路５側と排気路４側は空調機内風路やダクト等を介して屋外と連通連結する。蒸発器１４と凝縮器１５は、吸熱と放熱が切換自在で、蒸発器１４、凝縮器１５、図示省略の圧縮機、受液器、膨張弁及び冷媒循環方向の正逆の切換弁等を配管接続してヒートポンプを構成する。
【００１０】
図例の空調機１３によれば、図３（Ａ）は循環空調に対応し、屋内から取入れた還気を蒸発器１４で熱交換して給気し、同時に屋外からの外気で凝縮器１５の循環冷媒を熱交換して屋外へ放熱排気する。図３（Ｂ）は所定割合で屋内へ外気導入及び屋外へ排気しながらの空調に対応し、屋内から取入れた還気と屋外から取入れた外気を蒸発器１４で熱交換して給気し、同時に屋内からの還気と屋外からの外気で凝縮器１５の循環冷媒を熱交換（排熱回収）して屋外へ排気する。図３（Ｃ）は外気処理しながらの換気や外気冷房に対応し、屋外からの外気を蒸発器１４で熱交換して（あるいは熱交換せずに）給気し、同時に屋内から取入れた還気で凝縮器１５の循環冷媒を熱交換して（あるいは熱交換せずに）屋外へ排気する。
【００１１】
図５は、図３の実施例において、蒸発器１４と凝縮器１５と屋内側送風機１６と屋外側送風機１７を逆に配置したもので、屋内側送風機１６は給気路２から還気や外気を吸込むように設け、屋外側送風機１７は排気路４から外気や還気を吸込むように設ける。蒸発器１４は還気路３に対応させ、凝縮器１５は外気路５に対応させる。この図３と図５は、還気路３の風量と外気路５の風量を同じに設定した場合の実施例である。
【００１２】
図６は、給気路２の風量と排気路４の風量が相違する場合の実施例で、回動軸６に、図７（Ａ）のごとく所定回動角度（例えば０度）において一方が還気路３と排気路４のＲＥ仕切壁８に接しかつ他方が外気路５と給気路２のＯＳ仕切壁７に接して回動軸６とＯＳ仕切壁７の間隙部を閉じかつ回動軸６とＲＥ仕切壁８の間隙部を閉じかつ給気路２と還気路３のＳＲ仕切壁９と回動軸６との間隙部を開きかつ排気路４と外気路５のＥＯ仕切壁１０と回動軸６との間隙部を開くと共に図７（Ｃ）のごとく所定回動角度（例えば９０度）において一方がＳＲ仕切壁９に接しかつ他方がＥＯ仕切壁１０とＯＳ仕切壁７の間に位置して回動軸６とＳＲ仕切壁９の間隙部を閉じかつ回動軸６とＯＳ仕切壁７の間隙部を開きかつ回動軸６とＲＥ仕切壁８の間隙部を開きかつ回動軸６とＥＯ仕切壁１０の間隙部を開くと共に図７（Ｂ）のごとく所定回動角度範囲（例えば０度を超え９０度未満）において一方がＳＲ仕切壁９とＲＥ仕切壁８の間に位置しかつ他方がＥＯ仕切壁１０とＯＳ仕切壁７の間に位置して回動軸６とＯＳ仕切壁７の間隙部を開きかつ回動軸６とＲＥ仕切壁８の間隙部を開きかつ回動軸６とＳＲ仕切壁９の間隙部を開きかつ回動軸６とＥＯ仕切壁１０の間隙部を開く回動翼１１を、設ける。
【００１３】
この場合の回動手段１２は、図７（Ａ）のごとく還気路３から給気路２へ全ての還気が流れかつ外気路５から排気路４へ全ての外気が流れる状態と、図７（Ｃ）のごとく還気路３から排気路４へ全ての還気が流れかつ外気路５から排気路４と給気路２とへ所定割合で外気が流れる状態と、図７（Ｂ）のごとく還気路３から給気路２と排気路４とへ所定割合で還気が流れかつ外気路５から排気路４と給気路２とへ所定割合で外気が流れる状態と、に各々切換自在として回動軸６の回動角度を制御する。
【００１４】
この実施例では、図８に示すように、還気路３の風量と外気路５の風量が相違する場合（例えば還気風量：外気風量が１：１．５）において、還気路３側における回動翼１１の外端縁とＳＲ仕切壁９の先端縁の間隙部面積Ｓ１と回動翼１１の外端縁とＲＥ仕切壁８の先端縁の間隙部面積Ｓ２との比率（Ｓ１：Ｓ２）と、その比率（Ｓ１：Ｓ２）のときの外気路５側における回動翼１１の外端縁とＥＯ仕切壁１０の先端縁の間隙部面積Ｓ３と回動翼１１の外端縁とＯＳ仕切壁７の先端縁の間隙部面積Ｓ４との比率（Ｓ３：Ｓ４）と、を相違させて（例えばＳ１：Ｓ２＝７：３、Ｓ３：Ｓ４＝８：２）、給気路２と排気路４の風量比率と還気路３と外気路５の風量比率が同じ（還気風量１００で外気風量１５０とすると、給気風量が１００×０．７＋１５０×０．２＝１００、排気風量が１００×０．３＋１５０×０．８＝１５０、よって１：１．５）になるように、回転翼１１とＯＳ仕切壁７とＲＥ仕切壁８とＳＲ仕切壁９とＥＯ仕切壁１０を構成する。その他の構成は図３の実施例と同様であり、外気路５の静圧と還気路３の静圧が略等しくなるように箱体１を構成することにより、図７（Ｂ）の状態において給気路２と排気路４の風量比率を設定値に確実に維持することができる。
【００１５】
この場合、図７（Ａ）は循環空調に対応し、屋内から取入れた還気を蒸発器１４で熱交換して給気し、同時に屋外からの外気で凝縮器１５の循環冷媒を熱交換して屋外へ放熱排気する。図７（Ｂ）は所定割合で屋内へ外気導入及び屋外へ排気しながらの空調に対応し、屋内から取入れた還気と屋外から取入れた外気を蒸発器１４で熱交換して給気し、同時に屋内からの還気と屋外からの外気で凝縮器１５の循環冷媒を熱交換（排熱回収）して屋外へ排気する。図７（Ｃ）は外気処理しながらの換気や外気冷房に対応し、屋外からの外気を蒸発器１４で熱交換して（あるいは熱交換せずに）給気し、同時に屋内から取入れた還気と屋外からの外気で凝縮器１５の循環冷媒を熱交換して（あるいは熱交換せずに）屋外へ排気する。
【００１６】
図９は、図７の実施例において、蒸発器１４と凝縮器１５と屋内側送風機１６と屋外側送風機１７を逆に配置したもので、屋内側送風機１６は給気路２から還気や外気を吸込むように設け、屋外側送風機１７は排気路４から外気や還気を吸込むように設ける。蒸発器１４は還気路３に対応させ、凝縮器１５は外気路５に対応させる。この図７と図９は、還気路３の風量と外気路５の風量を異なるように設定した場合の実施例である。
【００１７】
なお、本発明は上述の実施例に限定されず、本発明の要旨を逸脱しない範囲で設計変更自由である。例えば、箱体１や回動翼１１の形状や構造の変更は自由であり、図１０のように、内部に蒸発器１４や屋内側送風機１６等を組込んだブロックと、内部に凝縮器１５や屋外側送風機１７等を組込んだブロックと、内部に本発明のダンパ装置を組込んだダンパブロック１８と、を相互に接続して空調機１３を構成してもよい。また、前記各実施例ではヒートポンプ式の空調機を示しているが、水熱源の熱交換器を用いたものなど各種の空調機あるいは空気混合用チャンバなどにも本発明は適用可能である。
【００１８】
【発明の効果】
請求項１の発明では、ひとつのダンパ装置にて、給気路２へ還気を流しかつ排気路４へ外気を流す第１の状態と、排気路４へ還気を流しかつ給気路２へ外気を流す第２の状態と、還気と外気を混合させて給気路２と排気路４へ流す第３の状態と、に各々切換自在なので、ヒートポンプ式の空調機に使用でき、循環空調、屋内外気導入及び屋外排気しながらの空調、外気処理しながらの換気、外気冷房など幅広く対応できて、機体のコンパクト化を図れ、しかもダンパ装置及び空調機を容易かつ安価に製作し得る。還気と外気を混合させて給気路２と排気路４へ流す第３の状態において、還気と外気の混合風量比を回動翼１１の回動により任意に変更することができる。
請求項２の発明では、給気路２へ還気を流しかつ排気路４へ外気を流す第１の状態、排気路４へ還気を流しかつ給気路２へ外気を流す第２の状態、還気と外気を混合させて給気路２と排気路４へ流す第３の状態、全てにおいて給気路２と排気路４の風量比率と還気路３と外気路５の風量比率を同じにすることができ、安定した空調を行える。
請求項３の発明では、ひとつのダンパ装置にて、給気路２へ還気を流しかつ排気路４へ外気を流す第１の状態と、排気路４へ還気と外気を流しかつ給気路２へ外気を流す第２の状態と、還気と外気を混合させて給気路２と排気路４へ流す第３の状態と、に各々切換自在なので、ヒートポンプ式の空調機に使用でき、循環空調、屋内外気導入及び屋外排気しながらの空調、外気処理しながらの換気、外気冷房など幅広く対応できて、機体のコンパクト化を図れ、しかもダンパ装置及び空調機を容易かつ安価に製作し得る。還気と外気を混合させて給気路２と排気路４へ流す第３の状態において、還気と外気の混合風量比を回動翼１１の回動により任意に変更することができる。
請求項４の発明では、給気路２へ還気を流しかつ排気路４へ外気を流す第１の状態、排気路４へ還気と外気を流しかつ給気路２へ外気を流す第２の状態、還気と外気を混合させて給気路２と排気路４へ流す第３の状態、全てにおいて給気路２と排気路４の風量比率と還気路３と外気路５の風量比率を同じにすることができ、安定した空調を行える。
請求項５の発明では、外気路５の静圧と還気路３の静圧を略等しくすることにより、給気路２と排気路４の風量比率と還気路３と外気路５の風量比率との変動を確実になくすことができ、より一層安定した空調を行える。
【図面の簡単な説明】
【図１】本発明の第１の実施例を示す斜視図である。
【図２】本発明を組込んだ空調機の平面図である。
【図３】第１の実施例の使用例を示す簡略説明図である。
【図４】第１の実施例の横断面図である。
【図５】第１の実施例の他の使用例を示す簡略説明図である。
【図６】本発明の第２の実施例を示す斜視図である。
【図７】第２の実施例の使用例を示す簡略説明図である。
【図８】第２の実施例の横断面図である。
【図９】第２の実施例の他の使用例を示す簡略説明図である。
【図１０】本発明を組込んだ他の空調機の平面図である。
【符号の説明】
１    箱体
２    給気路
３    還気路
４    排気路
５    外気路
６    回動軸
７    ＯＳ仕切壁
８    ＲＥ仕切壁
９    ＳＲ仕切壁
１０  ＥＯ仕切壁
１１  回動翼
１２  回動手段
【図１】
2004324922.tif 000003
【図２】
2004324922.tif 000004
【図３】
2004324922.tif 000005
【図４】
2004324922.tif 000006
【図５】
2004324922.tif 000007
【図６】
2004324922.tif 000008
【図７】
2004324922.tif 000009
【図８】
2004324922.tif 000010
【図９】
2004324922.tif 000011
【図１０】
2004324922.tif 000012